(57)【要約】【課題】長尺のレンズアレイを複数のサブレンズアレイとして個片化した構成において、画像品質の劣化を抑制可能な光書込装置及び当該光書込装置を備える画像形成装置を提供する。【解決手段】光学系１２は、複数の結像レンズ１２１を含んで構成されるサブレンズアレイ１２２と、サブレンズアレイ１２２を光源基板１１の長手方向に沿って複数並列させて構成されるレンズアレイ１２３と、を備える。また、隣接する２つのサブレンズアレイ１２２の間に、熱膨張時に隣接するサブレンズアレイ１２２と干渉しない程度の第１の隙間Ｇ１が設けられている。また、第１の隙間Ｇ１に空気を吹き付ける送風部１３をさらに備える。【選択図】図４
2016097610.tif 000002
【特許請求の範囲】
【請求項１】
複数の光源を備える光源基板と、
前記光源から出射された光を像担持体上に集光させる光学系と、を備える光書込装置において、
前記光学系は、
複数の結像レンズを含んで構成されるサブレンズアレイと、
前記サブレンズアレイを前記光源基板の長手方向に沿って複数並列させて構成されるレンズアレイと、
を備え、
隣接する２つのサブレンズアレイの間に、熱膨張時に前記隣接するサブレンズアレイと干渉しない程度の第１の隙間が設けられ、
前記第１の隙間に空気を吹き付ける送風部をさらに備えることを特徴とする光書込装置。
【請求項２】
前記サブレンズアレイは、前記複数の結像レンズを保持する保持部を備え、
前記保持部は、前記光源基板方向に向けて細くなるテーパー形状に形成されることを特徴とする請求項１に記載の光書込装置。
【請求項３】
前記複数の結像レンズの各々は、前記複数の光源のうち対応する光源と光軸方向で重なり合う位置に配置されることを特徴とする請求項１又は２に記載の光書込装置。
【請求項４】
前記送風部は、前記像担持体の回転方向に対して順方向に空気を吹き付けることを特徴とする請求項１〜３のいずれか一項に記載の光書込装置。
【請求項５】
前記レンズアレイは、光軸方向に複数積層され、
隣接する２つのレンズアレイの間に、第２の隙間が設けられ、
前記送風部は、更に前記第２の隙間に空気を吹き付けることを特徴とする請求項１〜４のいずれか一項に記載の光書込装置。
【請求項６】
前記光源基板は、ガラスにより形成されていることを特徴とする請求項１〜５のいずれか一項に記載の光書込装置。
【請求項７】
像担持体と、
前記像担持体を帯電させる帯電部と、
前記帯電部により帯電された前記像担持体に対して光を照射することで前記像担持体上に静電潜像を形成する請求項１〜６のいずれか一項に記載の光書込装置と、
前記光を照射された前記像担持体に現像剤を供給することで前記静電潜像を現像剤による像に顕像化する現像部と、
前記現像剤による像を用紙に転写する転写部と、
前記転写部により転写された前記現像剤による像を前記用紙に定着する定着部と、
を備えることを特徴とする画像形成装置。
【請求項８】
前記送風部は、
空気流を発生させるファンと、
吹出口が前記第１の隙間を向くように配置され、前記ファンから送られた空気を前記第１の隙間に吹き付けるダクトと、
を備え、
前記ファンは、更に前記光書込装置以外の部位を冷却することを特徴とする請求項７に記載の画像形成装置。
【発明の詳細な説明】
【技術分野】
【０００１】
本発明は、光書込装置及び画像形成装置に関する。
【背景技術】
【０００２】
従来、複数の発光素子（例えば、ＬＥＤ（Light Emitting Diode）、ＯＬＥＤ（Organic Light-Emitting Diode））からなる発光素子群を主走査方向及び副走査方向にそれぞれ複数配置した光源基板と、上記発光素子群に対して一対一で結像レンズを対向配置したレンズアレイと、を備える光書込装置が知られている。
上記光書込装置の一例として、同一基板上に複数の結像レンズを配置して光学系を形成する一体型の構成が知られている。しかしながら、この一体型構成の場合、長尺のレンズアレイ形状となるため、装置内の環境変動等により温度が上昇した場合に、長手方向に大きく熱膨張する。この熱膨張により結像レンズの位置が変動し、結果として感光体上に結像される像の位置ずれが発生するという問題がある。また、長尺のレンズアレイを成形するためには長尺の型が必要となるが、各結像レンズに対応したレンズ型を多数備える長尺の型を精度よく製造することは困難である。
この問題を解決する方法として、レンズアレイを長手方向に分断し、複数のサブレンズアレイとして個片化して透明基板に保持させる構成が開示されている（例えば、特許文献１参照）。この個片型構成では、サブレンズアレイ間に一定の隙間を設けることで、環境変動に起因する熱膨張の影響を低減し、結像性能に変化を及ぼさないようにしている。
【先行技術文献】
【特許文献】
【０００３】
【特許文献１】特開２００９−３７１９９号公報
【発明の概要】
【発明が解決しようとする課題】
【０００４】
一般に、ＬＥＤやＯＬＥＤからなる光源部は、発光中の発光点のみが発熱する。例えば、画像を形成する際、光源部における発光／非発光の位置が時間によらず固定的なパターンであった場合、即ち、発光する発光点が固定されるパターンであった場合、光源部に温度ムラが発生する。
上記特許文献１記載の個片化構成では、サブレンズアレイ間に一定の隙間が設けられるため、発熱した光源部から当該光源部と対応するサブレンズアレイに伝導した熱は、複数のサブレンズアレイを保持する透明基板を介して伝わることとなるが、透明基板からサブレンズアレイには熱が伝わりにくいため、隣接するサブレンズアレイにあまり熱伝導しない。従って、個片化構成では、一体型の構成と比べて、光源部の温度ムラがそのまま対応する各サブレンズアレイの温度ムラとなる。サブレンズアレイ間で温度ムラが発生すると、感光体上での結像位置の間隔にムラが発生するため、画像品質の劣化を招くという問題がある。
【０００５】
本発明は、長尺のレンズアレイを複数のサブレンズアレイとして個片化した構成において、画像品質の劣化を抑制可能な光書込装置及び当該光書込装置を備える画像形成装置を提供することを目的とする。
【課題を解決するための手段】
【０００６】
請求項１に記載の発明は、上記目的を達成するためになされたものであり、
複数の光源を備える光源基板と、
前記光源から出射された光を像担持体上に集光させる光学系と、を備える光書込装置において、
前記光学系は、
複数の結像レンズを含んで構成されるサブレンズアレイと、
前記サブレンズアレイを前記光源基板の長手方向に沿って複数並列させて構成されるレンズアレイと、
を備え、
隣接する２つのサブレンズアレイの間に、熱膨張時に前記隣接するサブレンズアレイと干渉しない程度の第１の隙間が設けられ、
前記第１の隙間に空気を吹き付ける送風部をさらに備えることを特徴とする。
【０００７】
請求項２に記載の発明は、請求項１に記載の光書込装置において、
前記サブレンズアレイは、前記複数の結像レンズを保持する保持部を備え、
前記保持部は、前記光源基板方向に向けて細くなるテーパー形状に形成されることを特徴とする。
【０００８】
請求項３に記載の発明は、請求項１又は２に記載の光書込装置において、
前記複数の結像レンズの各々は、前記複数の光源のうち対応する光源と光軸方向で重なり合う位置に配置されることを特徴とする。
【０００９】
請求項４に記載の発明は、請求項１〜３のいずれか一項に記載の光書込装置において、
前記送風部は、前記像担持体の回転方向に対して順方向に空気を吹き付けることを特徴とする。
【００１０】
請求項５に記載の発明は、請求項１〜４のいずれか一項に記載の光書込装置において、
前記レンズアレイは、光軸方向に複数積層され、
隣接する２つのレンズアレイの間に、第２の隙間が設けられ、
前記送風部は、更に前記第２の隙間に空気を吹き付けることを特徴とする。
【００１１】
請求項６に記載の発明は、請求項１〜５のいずれか一項に記載の光書込装置において、
前記光源基板は、ガラスにより形成されていることを特徴とする。
【００１２】
請求項７に記載の発明は、
画像形成装置において、
像担持体と、
前記像担持体を帯電させる帯電部と、
前記帯電部により帯電された前記像担持体に対して光を照射することで前記像担持体上に静電潜像を形成する請求項１〜６のいずれか一項に記載の光書込装置と、
前記光を照射された前記像担持体に現像剤を供給することで前記静電潜像を現像剤による像に顕像化する現像部と、
前記現像剤による像を用紙に転写する転写部と、
前記転写部により転写された前記現像剤による像を前記用紙に定着する定着部と、
を備えることを特徴とする。
【００１３】
請求項８に記載の発明は、請求項７に記載の画像形成装置において、
前記送風部は、
空気流を発生させるファンと、
吹出口が前記第１の隙間を向くように配置され、前記ファンから送られた空気を前記第１の隙間に吹き付けるダクトと、
を備え、
前記ファンは、更に前記光書込装置以外の部位を冷却することを特徴とする。
【発明の効果】
【００１４】
本発明によれば、長尺のレンズアレイを複数のサブレンズアレイとして個片化した構成において、画像品質の劣化を抑制することができる。
【図面の簡単な説明】
【００１５】
【図１】本実施形態に係る画像形成装置の概略構成を示す図である。
【図２】光プリントヘッドの構成を示す側面図である。
【図３】光源基板の構成を示す平面図である。
【図４】光学系及び送風部の構成を示す平面図である。
【図５】像担持体の回転方向と送風部の送風方向との関係を示す側面図である。
【図６】光学系の一変形例を示す側面図である。
【図７】光学系の一変形例を示す側面図である。
【発明を実施するための形態】
【００１６】
以下、本発明の実施の形態について、図面を参照して詳細に説明する。
【００１７】
本実施形態に係る画像形成装置１０００は、例えば、プリンターやデジタル複写機等として用いられ、図１に示すように、シアン、マゼンタ、イエロー、ブラックの色毎に設けられた複数の光プリントヘッド（光書込装置）１００と、光プリントヘッド１００に対応して設けられた感光体ドラム等の像担持体２００と、像担持体２００を帯電させる帯電部２１０と、光を照射された像担持体２００に現像剤を供給することで静電潜像を現像剤による像に顕像化する現像部２２０と、中間転写ベルト３００と、現像剤による像を用紙Ｐに転写する転写ローラー（転写部）４００と、転写ローラー４００により転写された現像剤による像を用紙Ｐに定着する定着部５００と、等を備えて構成される。
【００１８】
画像形成装置１０００は、光プリントヘッド１００より照射される光によって像担持体２００に静電潜像を形成させる。次に、画像形成装置１０００は、静電潜像が形成された像担持体２００に現像剤を供給することで当該静電潜像を現像剤による像に顕像化し、中間転写ベルト３００上に当該現像剤による像を転写させる。次に、画像形成装置１０００は、中間転写ベルト３００に転写された現像剤による像を転写ローラー４００によって用紙Ｐに押圧して転写させる。次に、画像形成装置１０００は、定着部５００によって用紙Ｐを加熱及び加圧することで、現像剤による像を用紙Ｐ上に定着する。そして、画像形成装置１０００は、用紙Ｐを排紙ローラー（図示省略）等により搬送してトレイ（図示省略）に排紙することで画像形成処理を行う。なお、ここでは、中間転写ベルト３００に転写された像を用紙Ｐに転写するようにしているが、像担持体２００から直接、像担持体２００に形成された像を用紙Ｐに転写するようにしてもよい。
【００１９】
光プリントヘッド１００は、図１〜図４に示すように、帯電部２１０により帯電された像担持体２００に対して光Ｌを照射することで像担持体２００上に静電潜像を形成する装置である。光プリントヘッド１００は、光Ｌを出射させる複数の発光素子（光源）１１１からなる発光素子群１１２を複数配置した光源基板１１と、複数の発光素子１１１から出射された光Ｌを像担持体２００上に集光させる光学系１２と、光学系１２を冷却するための冷却エアを吹き付ける送風部１３と、を備えて構成されている。
【００２０】
以下の説明では、図２〜図４等に示す光源基板１１及び光学系１２の長尺方向をＸ方向、短尺方向をＹ方向、Ｘ方向及びＹ方向に直交する方向をＺ方向とする。また、図２〜図４等に示す光プリントヘッド１００において、光学系１２が配置される側を上側、光源基板１１が配置される側を下側とする。本実施形態では、光プリントヘッド１００の光源基板１１から、Ｚ方向上方に向けて光Ｌが出射されるようになっている。即ち、Ｚ方向は、光Ｌの光軸方向と一致する。
なお、図２については、説明の都合上、図中手前側及び奥側（ＸＺ平面）の送風部１３の記載を省略している。
【００２１】
光源基板１１は、図３に示すように、略矩形状に形成され、複数の発光素子群１１２が長尺方向（Ｘ方向）に沿って略直線上に複数列（ここでは３列）並べられて配置されている。複数の発光素子群１１２は、光源基板１１の短尺方向（Ｙ方向）で重ならないように、Ｘ方向に少しずつずらして配列される。なお、本実施形態では、複数の発光素子群１１２をＹ方向に沿って複数列並べるようにしているが、これに限定されるものではなく、例えば、複数の発光素子群１１２を１列並べるように構成してもよい。また、本実施形態では、発光素子１１１として、ＯＬＥＤが用いられており、光源基板１１は、線膨張係数の小さいガラス（例えば、無アルカリガラス）により形成されている。
【００２２】
光学系１２は、図２〜図４に示すように、光源基板１１と像担持体２００の間に配置され、複数の結像レンズ１２１が光源基板１１上の複数の発光素子群１１２と対向する位置、即ち、光軸方向（Ｚ方向）で重なり合う位置に並べられて配置されている（図３及び図４参照）。なお、図３に示す符号１１４は、複数の結像レンズ１２１を光源基板１１上に射影した際の輪郭に相当する「射影部」を示しており、発光素子群１１２の各々は、対応する射影部１１４内に含まれている。従って、図３を参照すれば、複数の結像レンズ１２１が、複数の発光素子群１１２と対向する位置に並べられて配置されていることがわかる。複数の結像レンズ１２１の各々は、中心軸、即ち、光軸での屈折率が低く、中心軸から離れるほど屈折率が高くなるように形成されている。光源基板１１の複数の発光素子１１１から出射された光束は、光学系１２の複数の結像レンズ１２１を透過し、像担持体２００の表面上に微小なスポットとして結像されるようになっている。
【００２３】
光学系１２は、Ｙ方向一列分の結像レンズ１２１を含んで構成されるサブレンズアレイ１２２がＸ方向に沿って複数配置されて、レンズアレイ１２３を構成している。隣接するサブレンズアレイ１２２間には、所定の隙間（第１の隙間）Ｇ１が設けられている。所定の隙間Ｇ１とは、サブレンズアレイ１２２が環境変動等により熱膨張した際に隣接するサブレンズアレイ１２２と干渉しない程度の隙間のことである。
【００２４】
サブレンズアレイ１２２は、Ｙ方向一列分の結像レンズ１２１を、保持部材１２４により保持する構成である。本実施形態では、結像レンズ１２１と保持部材１２４とが別体として成型されている。
保持部材（保持部）１２４は、透明部材で形成され、上面側でＹ方向一列分の結像レンズ１２１を保持するレンズ保持部１２５と、レンズ保持部１２５を下面側から支持する支持部１２６と、を備えて構成されている。
レンズ保持部１２５は、図２に示すように、Ｙ方向から見た側面が矩形状に形成されている。
支持部１２６は、光源基板１１の上面側に載置され、Ｚ方向下方に向けて、即ち、光源基板１１に近づくにつれて細くなるテーパー形状に形成されている。従って、支持部１２６の下端部間の長さＡ１は、レンズ保持部１２５間の長さＡ２よりも長くなるように形成されている。
【００２５】
送風部１３は、図４及び図５に示すように、ダクト１３１と、冷却ファン（ファン）１３２と、を備えて構成され、冷却ファン１３２の回転駆動により、ダクト１３１の吹出口１３１ａから光学系１２を冷却するための冷却エアを吹き付ける。送風部１３は、光学系１２よりもＹ方向一方（図４中下方）側に配置され、吹出口１３１ａが、サブレンズアレイ１２２間の隙間Ｇ１を向くように配置されている。従って、送風部１３は、図５に示すように、像担持体２００の回転方向に対して順方向に空気を吹き付けるようになっている。
冷却ファン１３２は、例えば、定着部５００の加熱ローラーと用紙とを分離する定着分離ファン等、予め画像形成装置１０００に備えられているファンである。
【００２６】
以上のように、本実施形態に係る光プリントヘッド１００によれば、光学系１２は、複数の結像レンズ１２１を含んで構成されるサブレンズアレイ１２２と、サブレンズアレイ１２２を光源基板１１の長手方向に沿って複数並列させて構成されるレンズアレイ１２３と、を備える。また、隣接する２つのサブレンズアレイ１２２の間に、熱膨張時に隣接するサブレンズアレイ１２２と干渉しない程度の第１の隙間（隙間Ｇ１）が設けられている。また、隙間Ｇ１に空気を吹き付ける送風部１３をさらに備える。
従って、本実施形態に係る光プリントヘッド１００によれば、サブレンズアレイ１２２の間の隙間Ｇ１に対して、光源（発光素子１１１）の発熱温度よりも低い温度の空気を吹き付けてサブレンズアレイ１２２の温度上昇を抑制することで、サブレンズアレイ１２２間の温度ムラを低減することができるので、像担持体２００上での結像位置の間隔のムラを抑制することができ、画像品質の劣化を抑制することができる。
【００２７】
また、本実施形態に係る光プリントヘッド１００によれば、サブレンズアレイ１２２は、複数の結像レンズ１２１を保持する保持部（保持部材１２４）を備え、保持部は、光源基板１１方向に向けて細くなるテーパー形状に形成されるので、光源基板１１との接触面積が小さくなることで光源基板１１からの熱伝導が低減されるとともに、支持部１２６間の空間がより広くなることで光源基板１１やサブレンズアレイ１２２の熱を効率よく発散させることができることとなって、サブレンズアレイ１２２間の温度ムラを更に低減することができる。また、サブレンズアレイ１２２に抜き勾配がつくので、成型時の離形抵抗を少なくすることができる。
【００２８】
また、本実施形態に係る光プリントヘッド１００によれば、複数の結像レンズ１２１の各々は、複数の光源（発光素子１１１）のうち対応する光源と光軸方向で重なり合う位置に配置されるので、像担持体２００上での結像位置の間隔を最適な間隔とすることができ、冷却効率を確保するとともに、画像品質の劣化を抑制することができる。
【００２９】
また、本実施形態に係る光プリントヘッド１００によれば、送風部１３は、像担持体２００の回転方向に対して順方向に空気を吹き付けるので、隙間Ｇ１に対して効率よく空気を送り込むことができることとなって、サブレンズアレイ１２２や光源基板１１を効率よく冷却することができる。
【００３０】
また、本実施形態に係る光プリントヘッド１００を備える画像形成装置１０００によれば、送風部１３は、画像形成装置１０００内に設けられ、空気流を発生させるファン（冷却ファン１３２）と、吹出口１３１ａが隙間Ｇ１を向くように配置され、ファンから送られた空気を隙間Ｇ１に吹き付けるダクト１３１と、を備え、ファンは、更に光プリントヘッド１００以外の部位を冷却するので、別途ファンを取り付ける必要がなくなり、取り付けに必要な作業時間や費用を削減することができる。
【００３１】
また、本実施形態に係る光プリントヘッド１００によれば、光源基板１１は、ガラスにより形成されているので、熱伝導率が高くなり、冷却効率を高めることができることとなって、サブレンズアレイ１２２間の温度ムラを更に低減することができるとともに、光源の寿命を長くすることができる。
【００３２】
以上、本発明に係る実施形態に基づいて具体的に説明したが、本発明は上記実施形態に限定されるものではなく、その要旨を逸脱しない範囲で変更可能である。
【００３３】
（変形例１）
例えば、図６に示す例では、実施形態と比べ、光学系１２（レンズアレイ１２３）が２層構造に形成されている点が異なっている。なお、説明の簡略化のため、実施形態と同様の構成については、同一の符号を付して、その詳細な説明を省略する。
具体的には、変形例１に係る光学系１２Ａは、図６に示すように、複数のサブレンズアレイ１２２により構成されるレンズアレイ１２３の上方に、結像レンズ１２１と対向する位置に配置された結像レンズ１２１Ａを含んで構成されるレンズアレイ１２３Ａが配置されている。
レンズアレイ１２３Ａは、複数の結像レンズ１２１Ａを保持部材１２４Ａにより保持する構成である。
保持部材１２４Ａは、一つの透明基板により形成され、上面側で複数の結像レンズ１２１Ａを保持するレンズ保持部１２５Ａと、光源基板１１の上面側に載置され、レンズ保持部１２５Ａを下面側から支持する支持部１２６Ａと、を備えて構成されている。
変形例１に係る光学系１２Ａは、上記の構成を備えているので、隣接する２つのレンズアレイ（レンズアレイ１２３及びレンズアレイ１２３Ａ）の間に、送風部１３から送られる空気の流路としての隙間（第２の隙間）Ｇ２が形成されるようになっている。
【００３４】
以上のように、変形例１に係る光プリントヘッド１００によれば、レンズアレイを積層化した構成であっても、レンズアレイや光源基板１１を効率よく冷却することができるので、光学系１２Ａの設計の自由度を確保しつつ、画像品質の劣化を抑制することができる。
【００３５】
（変形例２）
なお、変形例１では、複数の結像レンズ１２１Ａを一つの基板により形成されたレンズ保持部１２５Ａにより保持する構成を例示して説明しているが、これに限定されるものではない。例えば、図７に示すように、一つのサブレンズアレイ１２２の上方に一つのサブレンズアレイ１２２Ｂを配置するようにし、複数のサブレンズアレイ１２２Ｂによりレンズアレイ１２３Ｂを構成するようにしてもよい。
具体的には、変形例２に係る光学系１２Ｂは、図７に示すように、サブレンズアレイ１２２の各々の上方に、結像レンズ１２１と対向する位置に配置された結像レンズ１２１Ｂを含んで構成されるサブレンズアレイ１２２Ｂが配置されている。
サブレンズアレイ１２２Ｂは、Ｙ方向一列分の結像レンズ１２１Ｂを、保持部材１２４Ｂにより保持する構成である。
保持部材１２４Ｂは、透明基板により形成され、上面側で複数の結像レンズ１２１Ｂを保持するレンズ保持部１２５Ｂと、レンズ保持部１２５の上面側に載置され、レンズ保持部１２５Ｂを下面側から支持する支持部１２６Ｂと、を備えて構成されている。
変形例２に係る光学系１２Ｂは、上記の構成を備えているので、隣接する２つのレンズアレイ（レンズアレイ１２３及びレンズアレイ１２３Ｂ）の間に、送風部１３から送られる空気の流路としての隙間（第２の隙間）Ｇ３が形成されるようになっている。
【００３６】
以上のように、変形例２に係る光プリントヘッド１００によれば、実施形態の変形例１と同様の効果が得られるとともに、上方に配置されたレンズアレイ１２３Ｂが複数のサブレンズアレイ１２２Ｂに個片化されているため、サブレンズアレイ１２２Ｂ間に一定の隙間が設けられており、環境変動に起因する熱膨張の影響を低減することができる。
【００３７】
（その他の変形例）
また、上記実施形態では、複数の結像レンズ１２１と保持部材１２４とを別体として成型するようにしているが、これに限定されるものではない。即ち、複数の結像レンズ１２１と保持部材１２４とを一体成型するようにしてもよい。
これにより、サブレンズアレイ１２２の組立性を高めることができるので、サブレンズアレイ１２２の成型に掛かる作業時間を短縮することができる。
【００３８】
また、上記実施形態では、サブレンズアレイ１２２の支持部１２６をテーパー形状に形成するようにしているが、これに限定されるものではない。例えば、支持部１２６を矩形状に形成するようにしてもよい。
【００３９】
また、上記実施形態では、複数の結像レンズ１２１の各々が、複数の発光素子１１１（発光素子群１１２）のうち対応する発光素子１１１（発光素子群１１２）とＺ方向で重なり合う位置に配置されるようにしているが、これに限定されるものではない。即ち、複数の結像レンズ１２１の各々が、複数の発光素子１１１（発光素子群１１２）のうち対応する発光素子１１１（発光素子群１１２）とＺ方向でずれた位置に配置されるようにしてもよい。
【００４０】
また、上記実施形態では、送風部１３が、像担持体２００の回転方向に対して順方向に空気を吹き付けるようにしているが、これに限定されるものではない。即ち、サブレンズアレイ１２２間の隙間Ｇ１に空気を吹き付け可能であれば、いかなる方向から吹き付けるようにしてもよく、例えば、像担持体２００の軸方向に空気を吹き付けるようにしてもよい。
【００４１】
また、上記実施形態では、送風部１３として、ダクト１３１と、予め画像形成装置１０００に備えられている冷却ファン１３２と、を備える構成を例示して説明しているが、これに限定されるものではない。例えば、備え付けの冷却ファン１３２の代わりに、専用の冷却ファンを新たに設けるようにしてもよい。その場合、専用の冷却ファンやダクトを設置する際の自由度が増して、装置の小型化を促進することができる。また、個別に冷却ファンの制御を行うことができる。
また、サブレンズアレイ１２２間の各隙間Ｇ１に対して個別に送風可能なように、冷却ファンを複数設けるようにしてもよい。
【００４２】
また、上記実施形態では、サブレンズアレイ１２２をＸ方向に沿って複数配置することでレンズアレイ１２３を構成するようにしているが、これに限定されるものではない。例えば、一つの透明基板等によりサブレンズアレイ１２２をＸ方向に沿って複数並列させた状態で保持させることで、レンズアレイ１２３を構成するようにしてもよい。
また、上記実施形態では、Ｙ方向一列分の結像レンズ１２１を含んで１つのサブレンズアレイ１２２を構成するようにしているが、これに限定されるものではない。例えば、Ｙ方向複数列分の結像レンズ１２１を含んで１つのサブレンズアレイ１２２を構成するようにしてもよい。
【００４３】
また、上記実施形態では、光源基板１１をガラスにより形成するようにしているが、これに限定されるものではない。例えば、光源基板１１を樹脂により形成するようにしてもよい。
【００４４】
その他、光プリントヘッド及び画像形成装置を構成する各装置の細部構成及び各装置の細部動作に関しても、本発明の趣旨を逸脱することのない範囲で適宜変更可能である。
【符号の説明】
【００４５】
１０００  画像形成装置
１００  光プリントヘッド（光書込装置）
１１  光源基板
１１１  発光素子（光源）
１１２  発光素子群
１１４  射影部
１２、１２Ａ、１２Ｂ  光学系
１２１、１２１Ａ、１２１Ｂ  結像レンズ
１２２、１２２Ｂ  サブレンズアレイ
１２３、１２３Ａ、１２３Ｂ  レンズアレイ
１２４、１２４Ａ、１２４Ｂ  保持部材（保持部）
１２５、１２５Ａ、１２５Ｂ  レンズ保持部
１２６、１２６Ａ、１２６Ｂ  支持部
１３  送風部
１３１  ダクト
１３１ａ  吹出口
１３２  冷却ファン（ファン）
２００  像担持体
２１０  帯電部
２２０  現像部
３００  中間転写ベルト
４００  転写ローラー（転写部）
５００  定着部
Ｇ１  隙間（第１の隙間）
Ｇ２、Ｇ３  隙間（第２の隙間）
【図１】
2016097610.tif 000003
【図２】
2016097610.tif 000004
【図３】
2016097610.tif 000005
【図４】
2016097610.tif 000006
【図５】
2016097610.tif 000007
【図６】
2016097610.tif 000008
【図７】
2016097610.tif 000009